(57)【特許請求の範囲】
【請求項１】
少なくとも水路軸方向に屈曲変形可能な水路閉止部材が、その下辺部で水路底に固定されると共に、該水路閉止部材の上縁部を所定位置まで引き上げる引き上げ駆動手段を備え、該水路閉止部材はその屈曲変形状態で両側縁が水路側壁に圧接止水可能に構成されていることを特徴とする屈曲ゲート。
【請求項２】
上記水路閉止部材は、可撓性を有する膜状部材によって形成されていることを特徴とする請求項１に記載の屈曲ゲート。
【請求項３】
上記水路閉止部材を形成する膜状部材には、水路幅方向に延び水路幅方向の変形を防ぐ補強部材が水路軸方向に間隔をあけて水路軸方向の変形は許容するように複数配設されて構成されていることを特徴とする請求項２に記載の屈曲ゲート。
【請求項４】
上記水路閉止部材は、水路幅方向に延びるとともに水路軸方向に所定幅とした単位構成部材を、水路軸方向に屈曲可能に複数連結して構成されていることを特徴とする請求項１に記載の屈曲ゲート。
【発明の詳細な説明】
【０００１】
【発明の属する技術分野】
本発明は、河川等の水路途中に配設されて水位調節等に用いられるゲートに関する。
【０００２】
【従来の技術】
河川等の水路途中に配設されて水位や流量調節に用いられるゲートには、種々構造のものが知られているが、リフティングゲートが最も一般的である。
【０００３】
リフティングゲートは、その一例の斜視図を図４に示すように、所定間隔で配設された鉛直な支持柱部材（ピア４０）に沿って扉体４１が上下に昇降するように構成され、この扉体４１によって水を堰止めると共に、その下縁と河床の間から又は上縁を超えて（越流）放水させるようになっているものである。
【０００４】
また、水路底に扉体を枢着配設し、扉体を枢支点回りに揺動させることで水路を閉鎖するフラップゲートと呼ばれるものもある。
【０００５】
【発明が解決しようとする課題】
ところで、上記のごとき従来構成のゲートでは、扉体は、水圧荷重を受けてその固定部に曲げ応力が生ずるため、この曲げ応力に耐える剛性を有するように鋼板製のスキンプレートの裏面側に鋼材による補強桁が配設されて構成されている。このため、扉体が重くなると共にその駆動に大きな力を必要として駆動装置も大型化し、結果としてゲート全体が大型化してコストも高いという問題があった。
【０００６】
本発明は、上記課題を解決するためになされたものであって、簡素で低コストにゲートを構成することのできる屈曲ゲートを提供することを目的とする。
【０００７】
【課題を解決するための手段】
上記目的を達成する本発明に係る屈曲ゲートは、少なくとも水路軸方向に屈曲変形可能な水路閉止部材が、その下辺部で水路底に固定されると共に、該水路閉止部材の上縁部を所定位置まで引き上げる引き上げ駆動手段を備え、該水路閉止部材はその屈曲変形状態で両側縁が水路側壁に圧接止水可能に構成されていることを特徴とする。
【０００８】
また、上記水路閉止部材は、可撓性を有する膜状部材や、それに水路幅方向に延び水路幅方向の変形を防ぐ補強部材が水路軸方向に間隔をあけて水路軸方向の変形は許容するように複数配設されて構成され、更に、水路幅方向に延びるとともに水路軸方向に所定幅とした単位構成部材を、水路軸方向に屈曲可能に複数連結して構成されていることを特徴とする。
【０００９】
【発明の実施の形態】
以下添付図面を参照して本発明の実施の形態を説明する。
【００１０】
図１は本発明に係る屈曲ゲートを模式的に示し、（Ａ）は概念断面図，（Ｂ）はそのＢ矢視図に相当する水路下流側から見た図である。
【００１１】
図示屈曲ゲート１は、断面形状矩形の水路２内に、当該水路２の断面と対応する矩形状の水路閉止部材としてのゲートシート１０が上縁側を下流側として下縁部で水路底２Ｂに固定されると共に、上縁部（補強梁１１）の両端にそれぞれ駆動ロープ２１が結合されて構成されている。
【００１２】
ゲートシート１０は、可撓性を有する（屈曲変形可能な）所定厚さのゴム板，鋼板又は樹脂板等によって形成され、水路２を閉止可能な形状に形成されている。その上縁には補強梁１１が固定されて、当該縁部の水路軸方向の剛性を高めており、また、両側縁にはそれぞれ水路１の側壁２Ａに圧接されて止水する水密シール１２が設けられている。
【００１３】
駆動ロープ２１は、水路２の両側にそれぞれ配設された引き上げ駆動手段としての巻き上げ装置２０によって巻き上げ駆動されるようになっており、この巻き上げ装置２０の駆動によってゲートシート１０の上縁の補強梁１１を水面上にまで引き上げることができるようになっている。
【００１４】
上記のごとく構成された屈曲ゲート１では、水路解放時には、図中想像線で示すように、駆動ロープ２１が繰り出されてゲートシート１０は水路底２Ｂに沿って位置して水流を妨げない。
【００１５】
一方、水路閉鎖時には、巻き上げ装置２０の駆動によってゲートシート１０の上縁を水面上にまで引き上げることにより、ゲートシート１０によって水路を閉止して水を堰止めることができる。また、ゲートシート１０の上縁（補強梁１１）を水面下所定深さに位置させて越流放流することもできる。
【００１６】
ここで、水路閉鎖時には、ゲートシート１０は図示のごとく下流側に膨出するようにアーチ状に変形するが、水圧は水路幅方向には一定であるためにその変形は水路軸方向のみの二次元的変形であって、ゲートシート１０には水路軸方向の引っ張り力のみが作用する。このため、ゲートシート１０はこの引っ張り力に抗する強度を有すれば良く、曲げ応力に抗する剛性は必要無く極めて薄い板厚によって形成することができ、これによって設備コストを大幅に低減することが可能となるものである。
【００１７】
図２（Ａ），（Ｂ）は、上記構成例におけるゲートシート１０に水路幅方向の変形を防ぐ補強材を設けた構成例を示す。尚、上記構成例と同機能の部位には同符号を付してある。
【００１８】
図示屈曲ゲート１′は、可撓性部材によって形成されたゲートシート１０の裏面側（下流側）に、水路幅方向に延びる所定幅の補強部材としての補強板１３が、水路軸方向に複数並設されており、この補強板１３によって、ゲートシート１０の水路軸方向の屈曲変形を妨げることなく幅方向の変形を防ぐように構成されたものである。これにより、ゲートシート１０が水路幅方向に変形することによる側縁と水路壁２Ｂとの間の水密性能の低下を防ぐことができる。
【００１９】
尚、水路閉止部材は必ずしもその素材自体が可撓性を有するものでなければならないものではなく、図３に示すように、鋼板等剛性を有する素材によって所定幅に形成された水路幅方向に長い単位構成部材としての単位構成板３１が、いわゆる無限軌道のごとく水路軸方向に屈曲可能に複数連結されて成る鎖状連結シャッター３０としても良いものである。
【００２０】
【発明の効果】
以上述べたように、本願発明に係る屈曲ゲートによれば、可撓性を有する膜状部材等、少なくとも水路軸方向に屈曲変形可能な水路閉止部材が、その下辺部で水路底に固定されると共に、該水路閉止部材の上縁部を所定位置まで引き上げる引き上げ駆動手段を備え、該水路閉止部材はその屈曲変形状態で両側縁が水路側壁に圧接止水可能に構成されていることにより、水路閉止部材には引っ張り力のみが作用することとなるため、曲げ応力に抗する剛性が必要無く極めて薄い板厚によって形成することができる。これにより、ゲートを極めて簡単に構成でき、設備コストも大幅に低減することができるものである。
【００２１】
また、水路閉止部材を形成する膜状部材には、水路幅方向に延びる補強部材が水路軸方向に複数配設され、水路幅方向の変形を防ぐと共に水路軸方向の変形は許容するように構成されていることにより、膜状部材の水路幅方向の変形が防げ、水路閉止部材が水路幅方向に変形することによる側縁と水路壁との間の水密性能の低下を防ぐことができる。
【００２２】
更に、水路閉止部材は、水路幅方向に延びるとともに水路軸方向に所定幅とした単位構成部材を、水路軸方向に屈曲可能に複数連結して構成されていることにより、水路閉止部材を水路幅方向に高剛性とすることができ、水路閉止部材の水路幅方向の変形を防ぎつつ強固に構成することができるものである。
【図面の簡単な説明】
【図１】本発明に係る屈曲ゲートを模式的に示し、（Ａ）は概念断面図，（Ｂ）はそのＢ矢視図に相当する水路下流側から見た図である。
【図２】他の構成例を示し、（Ａ）は概念断面図，（Ｂ）はその水路下流側から見た図である。
【図３】水路閉止部材が異なる構成の屈曲ゲートの概念断面図である。
【図４】従来例としてのリフティングゲートの斜視図である。
【符号の説明】
１，１′  屈曲ゲート
２  水路
２Ｂ  水路底
１０  ゲートシート（水路閉止部材，膜状部材）
１１  補強梁（上縁部）
１３  補強板（補強部材）
１４  単位構成板（単位構成部材）
２０  巻き上げ装置（引き上げ駆動手段）
【図１】
0003906675.tif 000002
【図２】
0003906675.tif 000003
【図３】
0003906675.tif 000004
【図４】
0003906675.tif 000005